(57)【特許請求の範囲】
【請求項１】
送風ファンと、該送風ファン羽根部外周の円筒形状のベルマウスと、該ベルマウス後端から所定寸法空気流下流側に突出した、ベルマウスよりも大径の方形の空気吹出グリルと、上記ベルマウス後端から連続する状態で、上記空気吹出グリル方向に延びた空気流整流面を有するエアガイド部とを有する空気調和機用室外機ユニットにおいて、上記エアガイド部は、上記方形の空気吹出グリルの内側空間部の対角方向の４隅に位置して、上記ベルマウス後端から半径方向外方にアール面を描いて延びるプレート部材により形成されていることを特徴とする空気調和機用室外機ユニット。
【請求項２】
送風ファンと、該送風ファン羽根部外周の円筒形状のベルマウスと、該ベルマウス後端から所定寸法空気流下流側に突出した、ベルマウスよりも大径の方形の空気吹出グリルと、上記ベルマウス後端から連続する状態で、上記空気吹出グリル方向に延びた空気流整流面を有するエアガイド部とを有する空気調和機用室外機ユニットにおいて、上記エアガイド部は、上記方形の空気吹出グリルの内側空間部の対角方向の４隅に位置して本体ケーシング前面部を膨出させた、ベルマウス後端から半径方向外方にアール面を描いて延びる凸面部により形成されていることを特徴とする空気調和機用室外機ユニット。
【請求項３】
送風ファンと、該送風ファン羽根部外周の円筒形状のベルマウスと、該ベルマウス後端から所定寸法空気流下流側に突出した、ベルマウスよりも大径の方形の空気吹出グリルと、上記ベルマウス後端から連続する状態で、上記空気吹出グリル方向に延びた空気流整流面を有するエアガイド部とを有する空気調和機用室外機ユニットにおいて、上記エアガイド部は、上記方形の空気吹出グリルの内側空間部の対角方向の４隅に位置して上記ベルマウス後端から空気吹出方向に延設され、かつ上記送風ファンの羽根の回転方向と逆方向に傾斜して設けられた拡流案内羽根により形成されていることを特徴とする空気調和機用室外機ユニット。
【発明の詳細な説明】
【０００１】
【発明の属する技術分野】
【０００２】
本願発明は、空気調和機用室外機ユニットの構造に関するものである。
【従来の技術】
【０００３】
例えば図１２〜図１５に示すように、従来の空気調和機用室外機ユニット１は、箱型のカセットケーシング５と、該カセットケーシング５の内部一側面から背面に亘ってコーナ状に設けられた熱交換器６と、該熱交換器６の前方に位置して設けられた送風用のファン２と、これら熱交換器６およびファン２の側方に設けられた機械室７と、上記熱交換器６の背後に設けられた空気吸込グリル８と、上記ファン２の前方に設けられた格子状の空気吹出グリル４とから構成されている。
【０００４】
ファン２は、例えば５枚羽根のプロペラファンにより構成され、その羽根部２ａの基部側ハブ２ｂに対して後方側からファンモータ２ｃの駆動軸２ｄが連結され、同ファンモータ２ｃによって回転駆動されるようになっている。
【０００５】
カセットケーシング５は、例えば可能な限り前後に薄く形成され、そのため上記ファン２の羽根部２ａ後縁は同カセットケーシング５の前面部５ａ側に形成された空気吹出口９に略同一フェース面状態となるように半径方向に所定のクリアランスを保って嵌合されており、その外周囲に円筒形状のベルマウス３が空気吹出口９に連続する形で設けられている。そして、上記空気吹出グリル４は、例えば図１３から明らかなようにデザイン的に見映えのする方形状をなし、水平方向に延びた多数の風向調整ガイド２１，２１・・・を多段構造に並設して格子構造に形成された当該ベルマウス３よりも大径のものに形成されている。また、同空気吹出グリル４は、上記空気吹出口９を有するカセットケーシング５の前面部５ａに対して後付けするための取付縁部４ａを有し、それによる寸法Ｖ分だけ前方に突出しており、内側には前後幅Ｖの角形の空間が形成されている。
【０００６】
そして、上記室外機ユニット１のファン２用ベルマウス３は、できるだけ高い静圧を稼ぐために上記空気吹出口９側の形状を円筒形に近い構造にしている。このような円筒形状構造の場合、静圧が向上し上記ファン２からの吹出空気流が上記室外機１の空気吹出グリル４の正面方向にストレートに高流速で効率良く吹き出されるようになる。
【発明が解決しようとする課題】
【０００７】
ところが、一方上記のように上記ファン２の下流にはベルマウス３の後端よりも下流側に所定寸法Ｖだけ突出した方形かつ格子状で大径の空気吹出グリル４があるために、特に対角線方向４隅での流路拡大による圧損が大きく、さらに空気吹出グリル４全体から見ると局部的に高流速の空気流（図１２のＶｍａｘ）が当該空気吹出グリル４にぶつかるので該部分での圧損も大きく、当該空気吹出グリル４部分で大きな風切音を発生する。またそれとともに上記ベルマウス３直下流部分で図１５のように空気の流れに剥離が生じて流れが乱され、さらに騒音を増大させるなどの問題がある。
【０００８】
本願発明は、該問題を解決するためになされたものであって、上記空気吹出グリル部の圧損を低減し、可及的に高静圧性能を維持しながら、さらにベルマウス下流の乱流発生を防止することによって、可能な限り送風性能が高く、しかも低騒音の空気調和機用室外機ユニットを提供することを目的とするものである。
【課題を解決するための手段】
【０００９】
本願発明は、上記の目的を達成するために、次のような課題解決手段を備えて構成されている。
【００１０】
すなわち、本願請求項１に係る発明の空気調和機用室外機ユニットは、送風ファンと、該送風ファン羽根部外周の円筒形状のベルマウスと、該ベルマウス後端から所定寸法空気流下流側に突出した、ベルマウスよりも大径の方形の空気吹出グリルと、上記ベルマウス後端から連続する状態で、上記空気吹出グリル方向に延びた空気流整流面を有するエアガイド部とを有する空気調和機用室外機ユニットにおいて、上記エアガイド部は、上記方形の空気吹出グリルの内側空間部の対角方向の４隅に位置して、上記ベルマウス後端から半径方向外方にアール面を描いて延びるプレート部材により形成されて構成されている。
【００１１】
このような構成では、上記エアガイド部は、何れの場合にも上記のようにベルマウスの後端から空気吹出グリル方向に例えば半径方向の径を拡大させながらアール面を描いて延びた空気流整流面を有しているので、上記送風ファンからの風は先ず上記円筒形状のベルマウスから高静圧、高流速で空気吹出グリル方向に吹出され、さらにベルマウス後端からも当該エアガイド部の空気流整流面でのコアンダ効果により整流されて最終的に空気吹出グリルまで、より均一な風速でスムーズに流れるようになり、従来のような局部的な大風速によるベルマウス下流側空気吹出グリル部での圧損並びに大きな風切音が低減され、又流路径の急拡大による剥離、乱流は殆んど生じなくなる。
【００１２】
したがって、従来のような圧損、乱流騒音は大きく低減される。しかも、上記ベルマウスそのものの円筒形状は何らの制約を受けないから、本来の高静圧、高流速による高い送風性能をより十分に向上させることができる。
【００１３】
そして、同構成では、上記ベルマウスよりも大径の空気吹出グリルが特に方形に形成されていることから、特に対角線方向４隅の圧損が大きくなるとともに流れも乱れやすい。したがって、上記エアガイド部は、当該方形の空気吹出グリル内側空間部の対角方向の４隅に位置して、ベルマウス後端から半径方向外方にアール面を描いて延びるプレート部材により形成されていて、その空気整流面による空気流コアンダー効果によってベルマウス下流側空気流剥離域の流れが効果的に整流されて、乱流がスムーズに防止される。
【００１４】
また、本願請求項２に係る発明の空気調和機用室外機ユニットは、送風ファンと、該送風ファン羽根部外周の円筒形状のベルマウスと、該ベルマウス後端から所定寸法空気流下流側に突出した、ベルマウスよりも大径の方形の空気吹出グリルと、上記ベルマウス後端から連続する状態で、上記空気吹出グリル方向に延びた空気流整流面を有するエアガイド部とを有する空気調和機用室外機ユニットにおいて、上記エアガイド部は、上記方形の空気吹出グリルの内側空間部の対角方向の４隅に位置して本体ケーシング前面部を膨出させた、ベルマウス後端から半径方向外方にアール面を描いて延びる凸面部により形成されて構成されている。
【００１５】
このような構成では、上記エアガイド部は、何れの場合にも上記のようにベルマウスの後端から空気吹出グリル方向に例えば半径方向の径を拡大させながらアール面を描いて延びた空気流整流面を有しているので、上記送風ファンからの風は先ず上記円筒形状のベルマウスから高静圧、高流速で空気吹出グリル方向に吹出され、さらにベルマウス後端からも当該エアガイド部の空気流整流面でのコアンダ効果により整流されて最終的に空気吹出グリルまで、より均一な風速でスムーズに流れるようになり、従来のような局部的な大風速によるベルマウス下流側空気吹出グリル部での圧損並びに大きな風切音が低減され、又流路径の急拡大による剥離、乱流は殆んど生じなくなる。
【００１６】
したがって、従来のような圧損、乱流騒音は大きく低減される。しかも、上記ベルマウスそのものの円筒形状は何らの制約を受けないから、本来の高静圧、高流速による高い送風性能をより十分に向上させることができる。
【００１７】
そして、同構成では、上記ベルマウスよりも大径の空気吹出グリルが特に方形に形成されていることから、特に対角線方向４隅の圧損が大きくなるとともに流れも乱れやすい。したがって、上記エアガイド部は、当該方形の空気吹出グリル内側空間部の対角方向の４隅に位置して本体ケーシング前面部を膨出させた、ベルマウス後端から半径方向外方にアール面を描いて延びる凸面部により形成されていて、その空気整流面による空気流コアンダー効果によってベルマウス下流側空気流剥離域の流れが効果的に整流されて、乱流がスムーズに防止される。
【００１８】
また、本願請求項３に係る発明の空気調和機用室外機ユニットは、送風ファンと、該送風ファン羽根部外周の円筒形状のベルマウスと、該ベルマウス後端から所定寸法空気流下流側に突出した、ベルマウスよりも大径の方形の空気吹出グリルと、上記ベルマウス後端から連続する状態で、上記空気吹出グリル方向に延びた空気流整流面を有するエアガイド部とを有する空気調和機用室外機ユニットにおいて、上記エアガイド部は、上記方形の空気吹出グリルの内側空間部の対角方向の４隅に位置して上記ベルマウス後端から空気吹出方向に延設され、かつ上記送風ファンの羽根の回転方向と逆方向に傾斜して設けられた拡流案内羽根により形成されて構成されている。
【００１９】
このような構成では、上記エアガイド部は、何れの場合にも上記のようにベルマウスの後端から空気吹出グリル方向に例えば半径方向の径を拡大させながらアール面を描いて延びた空気流整流面を有しているので、上記送風ファンからの風は先ず上記円筒形状のベルマウスから高静圧、高流速で空気吹出グリル方向に吹出され、さらにベルマウス後端からも当該エアガイド部の空気流整流面でのコアンダ効果により整流されて最終的に空気吹出グリルまで、より均一な風速でスムーズに流れるようになり、従来のような局部的な大風速によるベルマウス下流側空気吹出グリル部での圧損並びに大きな風切音が低減され、又流路径の急拡大による剥離、乱流は殆んど生じなくなる。
【００２０】
したがって、従来のような圧損、乱流騒音は大きく低減される。しかも、上記ベルマウスそのものの円筒形状は何らの制約を受けないから、本来の高静圧、高流速による高い送風性能をより十分に向上させることができる。
【００２１】
そして、同構成では、上記ベルマウスよりも大径の空気吹出グリルが特に方形に形成されていることから、特に対角線方向４隅の圧損が大きくなるとともに流れも乱れやすい。
【００２２】
したがつて、上記エアガイド部は、当該方形の空気吹出グリル内側空間部の対角方向の４隅に位置して、上記ベルマウス後端から空気吹出方向に延設され、かつ上記送風ファンの羽根の回転方向と逆方向に傾斜して設けられた拡流案内羽根により形成されていて、その空気整流面による拡流作用によってベルマウス下流側空気流剥離域の流れが効果的に整流されて、乱流がスムーズに防止される。
【発明の効果】
【００２３】
以上の結果、本願発明の空気調和機用室外機ユニットによると、空気吹出グリル部における圧損と乱流を有効に低減して、送風性能および静粛性能の高い空気調和機用室外機ユニットを提供することが可能となる。
【発明の実施の形態】
【００２４】
（実施の形態１）
図１〜図３は、本願発明の実施の形態１に係る空気調和機用室外機ユニットの構成を示している。
【００２５】
図中、先ず符号１１は同室外機ユニットである。該室外機ユニット１１は、箱型のカセットケーシング１２と、該カセットケーシング１２の内部一側面から背面に亘ってコーナ状に設けられた省エネ性の高い低圧損高性能の熱交換器１３と、該熱交換器１３の前方に位置して設けられた送風用のファン１４と、これら熱交換器１３およびファン１４の側方に設けられた機械室１５と、上記熱交換器１３の背後に設けられた空気吸込グリル１６と、上記ファン１４の前方に設けられた空気吹出グリル１７とから構成されている。
【００２６】
ファン１４は、例えば静圧性能の高い５枚羽根のプロペラファンにより構成され、その羽根部１４ａの基部側ハブ１４ｂに対して後方側からファンモータ１４ｃの駆動軸１４ｄが連結され、同ファンモータ１４ｃによって回転駆動されるようになっている。
【００２７】
カセットケーシング１２は、可能な限り前後に薄く形成され、そのため上記ファン１４の羽根部１４ａ後縁は同カセットケーシング１２の前面部１２ａ側に形成された空気吹出口１８の開口面に略同一フェース面状態となるように半径方向に所定のクリアランスを保って嵌合されており、その周囲に従来と同様の流速向上性能の高い円筒形状のベルマウス１９が同空気吹出口１８に連続する形で設けられている。
【００２８】
一方、上記空気吹出グリル１７は、幅Ｗのカセットケーシング前面部１２ａへの取付縁部１７ａを介し、上記空気吹出口１８を形成したカセットケーシング１２の前面部１２ａより同取付縁部１７ａの幅寸法Ｗだけ前方に突出して設けられ、その前面部側空気吹出用の開口部には例えば上方又は下方、もしくは正面方向（縦型にした場合は、左右両側方又は正面方向）何れかの方向への風向を任意に調整することができるプレート状の多数枚の風向調整ガイド２１，２１・・・が上下方向に所定の間隔を保って傾動可能に設けられている。
【００２９】
そして、該空気吹出グリル１７内側の上記前方への突出寸法Ｗに応じて形成された空間内の対角線方向の４隅（４つのコーナ部）には、上記ベルマウス１９の後端から連続して次第に半径方向外方に曲率が拡大された空気整流用のアール面を有する乱流防止用のエアガイド２２，２２・・が略空気吹出グリル１７の風向調整ガイド２１，２１・・・付近に延びて設けられている。
【００３０】
該エアガイド２２，２２・・は、上記のようにベルマウス１９の後端から略風向調整ガイド２１，２１・・・付近まで延設されていることから、上記ファン１４の回転により生じる吹出風は上記熱交換器１３を通して例えば図１および図３の矢印に示すようにスムーズに流れ、特にベルマウス１９の後端からは空気吹出グリル１７の方向に次第に流路径を拡大したベルマウス１９と同心円状の漏斗形状に近い流路形態で吹き出されることになる。その結果、従来のような局部的な最大風速域が全体に均一化されて圧損が低減されるとともにグリル部での風切音も小さくなる。また、従来のようなベルマウス１９の下流側での乱流はエアガイド２２，２２・・の空気整流面におけるコアンダ効果によって確実に整流されて殆ど生じなくなる。
【００３１】
したがって、従来のような圧損、乱流騒音は大きく低減される。しかも、ベルマウス１９そのものの略円筒形状は何らの制約は受けないから、本来の高静圧、高流速による高い送風性能を、さらに向上させることができる。
【００３２】
（実施の形態２）
図４〜図６は、本願発明の実施の形態２に係る空気調和機用室外機ユニットの構成を示している。
【００３３】
図中、先ず符号１１は同室外機ユニットである。該室外機ユニット１１は、箱型のカセットケーシング１２と、該カセットケーシング１２の内部一側面から背面に亘ってコーナ状に設けられた省エネ性の高い低圧損高性能の熱交換器１３と、該熱交換器１３の前方に位置して設けられた送風用のファン１４と、これら熱交換器１３およびファン１４の側方に設けられた機械室１５と、上記熱交換器１３の背後に設けられた空気吸込グリル１６と、上記ファン１４の前方に設けられた空気吹出グリル１７とから構成されている。
【００３４】
ファン１４は、例えば静圧性能の高い５枚羽根のプロペラファンにより構成され、その羽根部１４ａの基部側ハブ１４ｂに対して後方側からファンモータ１４ｃの駆動軸１４ｄが連結され、同ファンモータ１４ｃによって回転駆動されるようになっている。
【００３５】
カセットケーシング１２は、可能な限り前後に薄く形成され、そのため上記ファン１４の羽根部１４ａ後縁は同カセットケーシング１２の前面部１２ａ側に形成された空気吹出口１８の開口面に略同一フェース面状態となるように半径方向に所定のクリアランスを保って嵌合されており、その周囲に従来と同様の流速向上性能の高い円筒形状のベルマウス１９が同空気吹出口１８に連続する形で設けられている。
【００３６】
一方、上記空気吹出グリル１７は、所定幅Ｗの取付縁部１７ａを介し、上記空気吹出口１８を形成したカセットケーシング１２の前面部１２ａより上記取付縁部１７ａの幅寸法Ｗだけ前方に突出して設けられ、その前面部側空気吹出用の開口部には例えば上方又は下方、もしくは正面方向（縦型にした場合には、左右両側方又は正面方向）何れかの方向への風向を任意に調整することができるプレート状の多数枚の風向調整ガイド２１，２１・・・が上下方向に所定の間隔を保って傾動可能に設けられている。
【００３７】
そして、該空気吹出グリル１７内側の上記前方への突出寸法Ｗに応じて形成された空間内の対角線方向の４隅（４つのコーナ部）には、上記カセットケーシング１２の前面部１２ａを前方に膨出させることにより上記ベルマウス１９の後端から連続して次第に半径方向外方に曲率が拡大された空気整流用のアール面を有する乱流防止用のエアガイド用凸部３２，３２・・が設けられている。
【００３８】
該エアガイド用凸部３２，３２・・は、上記のようにベルマウス１９の後端から略風向調整ガイド２１，２１・・・付近まで延設して形成されていることから、上記ファン１４の回転により生じる吹出風は上記熱交換器１３を通して例えば図４および図６の矢印に示すようにスムーズに流れ、特にベルマウス１９の後端からは空気吹出グリル１７の方向に次第に流路径を拡大したベルマウス１９と同心円状の漏斗形状に近い流路形態で吹き出されることになる。その結果、従来のような局部的な最大風速域が全体に均一化されて圧損が低減されるとともにグリル部での風切音も小さくなる。また、従来のようなベルマウス１９の下流側での乱流は上記エアガイド用凸部３２，３２・・の空気整流面でのコアンダー効果によって確実に整流されて殆んど生じなくなる。
【００３９】
したがって、従来のような圧損、乱流騒音は大きく低減される。しかも、ベルマウス１９そのものの略円筒形状は何らの制約は受けないから、本来の高静圧、高流速による高い送風性能を、さらに向上させることができる。
【００４０】
（実施の形態３）
図７〜図１１は、本願発明の実施の形態３に係る空気調和機用室外機ユニットの構成を示している。
【００４１】
図中、先ず符号１１は同室外機ユニットである。該室外機ユニット１１は、箱型のカセットケーシング１２と、該カセットケーシング１２の内部一側面から背面に亘ってコーナ状に設けられた省エネ性の高い低圧損高性能の熱交換器１３と、該熱交換器１３の前方に位置して設けられた送風用のファン１４と、これら熱交換器１３およびファン１４の側方に設けられた機械室１５と、上記熱交換器１３の背後に設けられた空気吸込グリル１６と、上記ファン１４の前方に設けられた空気吹出グリル１７とから構成されている。
【００４２】
ファン１４は、例えば静圧性能の高い５枚羽根のプロペラファンにより構成され、その羽根部１４ａの基部側ハブ１４ｂに対して後方側からファンモータ１４ｃの駆動軸１４ｄが連結され、同ファンモータ１４ｃによって回転駆動されるようになっている。
【００４３】
カセットケーシング１２は、可能な限り前後に薄く形成され、そのため上記ファン１４の羽根部１４ａ後縁は同カセットケーシング１２の前面部１２ａ側に形成された空気吹出口１８の開口面に略同一フェース面状態となるように半径方向に所定のクリアランスを保って嵌合されており、その周囲に従来と同様の流速向上性能の高い円筒形状のベルマウス１９が同空気吹出口１８に連続する形で設けられている。
【００４４】
一方、上記空気吹出グリル１７は、所定幅Ｗの取付縁部１７ａを介し、上記空気吹出口１８を形成したカセットケーシング１２の前面部１２ａより所定寸法Ｗだけ前方に突出して設けられ、その前面部側空気吹出用の開口部には例えば上方又は下方、もしくは正面方向（縦型にした場合は、左右両側方又は正面方向）何れかの方向への風向を任意に調整することができるプレート状の多数枚の風向調整ガイド２１，２１・・・が上下方向に所定の間隔を保って傾動可能に設けられている。
【００４５】
そして、該空気吹出グリル１７内側の上記前方への突出寸法Ｗに応じて形成された空間内の対角線方向の４隅（４つのコーナ部）のカセットケーシング１２の前面部１２ａには、例えば図９〜図１１に示すように、上記ベルマウス１９の後端に連続する格好で、次第に半径方向外方流れの拡流方向に傾斜した乱流防止並びにエアガイド用の拡流案内羽根群４２，４２・・が空気吹出方向に延びて各々６枚づつ並設状態で設けられている。
【００４６】
また該４隅の拡流案内羽根４２，４２・・群の各々の羽根４２は、上記のようにベルマウス１９の後端から空気吹出方向に延設され、しかもファン１４の羽根部１４ａの回転方向と逆方向に傾斜している。したがって、上記ファン１４の羽根部１４ａ，１４ａ・・の回転により生じる吹出風は上記ベルマウス１９を通った後、その拡流面４２ａにより図７、図９、図１０の矢印に示すように拡流かつ整流されてスムーズに流れ、特にベルマウス１９の後端からは空気吹出グリル１７の方向に次第に流路径を拡大したベルマウス１９と同心円状の漏斗形状に近い流路形態を採用したのと同様の作用で吹き出されることになる。その結果、従来のような局部的な最大風速域が全体に均一化されて圧損が低減されるとともにグリル部での風切音も小さくなる。また、従来のようなベルマウス１９の下流側での乱流は殆んど生じなくなる。
【００４７】
したがって、従来のような圧損、乱流騒音は大きく低減される。しかも、ベルマウス１９そのものの円筒形状は何らの制約は受けないから、本来の高流速、高静圧による高い送風性能を、さらに向上させることができる。
【図面の簡単な説明】
【図１】  本願発明の実施の形態１に係る空気調和機用室外機ユニットの構成を示す縦断面図（図２のＡ−Ａ）である。
【図２】  同室外機ユニットの正面図である。
【図３】  同室外機ユニットの要部の拡大断面図（図２のＢ−Ｂ）である。
【図４】  本願発明の実施の形態２に係る空気調和機用室外機ユニットの構成を示す縦断面図（図５のＣ−Ｃ）である。
【図５】  同室外機ユニットの正面図である。
【図６】  同室外機ユニットの要部の拡大断面図（図５のＤ−Ｄ）である。
【図７】  本願発明の実施の形態３に係る空気調和機用室外機ユニットの構成を示す縦断面図（図８のＥ−Ｅ）である。
【図８】  同室外機ユニットの正面図である。
【図９】  同室外機ユニットの要部の拡大断面図（図８のＦ−Ｆ）である。
【図１０】  同室外機ユニット要部における拡流案内羽根の詳細な構造と作用を示す一部拡大正面図である。
【図１１】  同拡流案内羽根の構造を示す図１０の矢視Ｇ方向の図である。
【図１２】  従来例に係る空気調和機用室外機ユニットの構成を示す縦断面図（図１３のＨ−Ｈ）である。
【図１３】  同室外機ユニットの正面図である。
【図１４】  同室外機ユニットの要部の拡大断面図（図１３Ｉ−Ｉ）である。
【図１５】  同室外機ユニットの要部の拡大断面図（図１３のＪ−Ｊ））である。
【符号の説明】
１１は室外機ユニット、１２はカセットケーシング、１３は熱交換器、１４はファン、１８は空気吹出口、１９はベルマウス、２１は風向調整ガイド、２２はエアガイド、３２はエアガイド用凸部、４２はエアガイド用拡流案内羽根である。
【図１】
0003757481.tif 000002
【図２】
0003757481.tif 000003
【図３】
0003757481.tif 000004
【図４】
0003757481.tif 000005
【図５】
0003757481.tif 000006
【図６】
0003757481.tif 000007
【図７】
0003757481.tif 000008
【図８】
0003757481.tif 000009
【図９】
0003757481.tif 000010
【図１０】
0003757481.tif 000011
【図１１】
0003757481.tif 000012
【図１２】
0003757481.tif 000013
【図１３】
0003757481.tif 000014
【図１４】
0003757481.tif 000015
【図１５】
0003757481.tif 000016